(57)【要約】【課題】衝撃音を低減する工事方法を提供する。【解決手段】この発明による工事方法はステップＳ１０，Ｓ１２，Ｓ１４，Ｓ１６を含む。ステップＳ１０は、じゅうたんを敷く領域の枠組みを床面に作成する。ステップＳ１２は、ステップＳ１０で作成された領域に複数の板状の発泡スチロールを敷く。ステップＳ１４は、発泡スチロール相互間の境界位置が複数のベニヤ板相互間の境界位置と異なるように複数の発泡スチロールの上に複数のベニヤ板を敷く。ステップＳ１６は、複数のベニヤ板の上にじゅうたんを敷く。【選択図】        図３
2004339694.tif 000002
【特許請求の範囲】
【請求項１】
複数の第１の板状部材を床面に敷く第１の工程と、
前記複数の第１の板状部材上に複数の第２の板状部材を敷く第２の工程と、
前記複数の第２の板状部材上に第３の板状部材を敷く第３の工程とを含む工事方法。
【請求項２】
前記第１の工程の後、前記複数の第１の板状部材に接して第４の板状部材を敷く第４の工程をさらに含み、
前記第２の工程は、前記第４の工程の後、前記第４の板状部材に接して前記複数の第２の板状部材を敷く、請求項１に記載の工事方法。
【請求項３】
前記複数の第１の板状部材相互間の境界が存在する第１の位置は、前記複数の第２の板状部材相互間の境界が存在する第２の位置と異なる、請求項１または請求項２に記載の工事方法。
【発明の詳細な説明】
【０００１】
【発明の属する技術分野】
この発明は、衝撃音を低減する工事方法に関するものである。
【０００２】
【従来の技術】
マンションの各部屋の床にじゅうたんを敷く場合、コンクリート等からなる床の上にじゅうたんを直接またはニードルフェルトを介して敷いていた。
【０００３】
より具体的には、接着剤またはグリッパー工法等によってじゅうたんを床に固定することによりじゅうたんを床に敷いていた。
【０００４】
なお、以上、本発明についての従来の技術を、出願人の知得した一般的技術情報に基づいて説明したが、出願人の記憶する範囲において、出願前までに先行技術文献情報として開示すべき情報を出願人は有していない。
【０００５】
【発明が解決しようとする課題】
従来の方法によりじゅうたんを床に敷いた場合、じゅうたんの上を人間が歩いたり、物をじゅうたんに落としたりすると、衝撃音が発生し、その発生した衝撃音が下の部屋に伝わる。その結果、衝撃音が下の部屋に騒音として伝達されるという問題がある。
【０００６】
そこで、この発明は、かかる問題を解決するためになされたものであり、その目的は、衝撃音を低減する工事方法を提供することである。
【０００７】
【課題を解決するための手段および発明の効果】
この発明によれば、工事方法は、複数の第１の板状部材を床面に敷く第１の工程と、複数の第１の板状部材上に複数の第２の板状部材を敷く第２の工程と、複数の第２の板状部材上に第３の板状部材を敷く第３の工程とを含む。
【０００８】
好ましくは、工事方法は、第１の工程の後、複数の第１の板状部材に接して第４の板状部材を敷く第４の工程をさらに含む。そして、第２の工程は、第４の工程の後、第４の板状部材に接して複数の第２の板状部材を敷く。
【０００９】
好ましくは、複数の第１の板状部材相互間の境界が存在する第１の位置は、複数の第２の板状部材相互間の境界が存在する第２の位置と異なる。
【００１０】
この発明による工事方法により第３の板状部材を敷いた部屋においては、第３の板状部材の下に、第１および第２の板状部材、または第１、第４および第２の板状部材が存在するため、人間が第３の板状部材の上を歩いたとき、第１および第２の板状部材、または第１、第４および第２の板状部材によって衝撃音が吸収される。
【００１１】
したがって、この発明によれば、人間が部屋を歩いたり、物を落としたりしたときの衝撃音を低減できる。
【００１２】
【発明の実施の形態】
本発明の実施の形態について図面を参照しながら詳細に説明する。なお、図中同一または相当部分には同一符号を付してその説明は繰返さない。
【００１３】
図１は、この発明による工事方法に用いる材料を示す。図１を参照して、この発明による工事方法は、垂木１、発泡スチロール２、ベニヤ板３、じゅうたん４およびニードルフェルト５を用いて行なわれる。そして、垂木１、発泡スチロール２、ベニヤ板３、じゅうたん４およびニードルフェルト５は、市販品が用いられる。
【００１４】
垂木１は、各部屋の床面にじゅうたん４を敷く場合に、じゅうたん４を敷く領域の枠組みを作成するために用いられる。発泡スチロール２は、略板形状からなり、厚さが０．０２５ｍ、縦が０．９１ｍ、横が１．８２ｍのサイズを有する。また、発泡スチロール２は、ベニヤ板３よりも硬度が低く、発泡倍率が６０〜７０倍の発泡スチロールが用いられる。そして、このようなサイズおよび硬度を有する発泡スチロール２が複数個用いられる。
【００１５】
ベニヤ板３は、厚さが０．００５５ｍ、縦が０．９１ｍ、横が１．８２ｍのサイズを有する。そして、このようなサイズを有するベニヤ板３が複数枚用いられる。
【００１６】
じゅうたん４は、この発明による工事方法が実行される部屋の大きさ（広さ）と同じ大きさからなる。つまり、じゅうたん４は、１枚物または複数のじゅうたんを繋ぎ合わせたものである。ニードルフェルト５も、じゅうたん４と同じように、この発明による工事方法が実行される部屋の大きさ（広さ）と同じ大きさからなる。ニードルフェルト５は、衝撃音をさらに低減する役割を果たす。
【００１７】
図２は、図１に示すじゅうたん４の一部の拡大図である。図２を参照して、じゅうたん４は、ラバー４１と、じゅうたん生地４２とからなる。じゅうたん生地４２は、ラバー４１の上に固定されている。
【００１８】
図３は、この発明による工事方法を説明するためのフローチャートである。なお、図３は、図１に示す垂木１、発泡スチロール２、ベニヤ板３およびじゅうたん４を材料として用いる工事方法を示すフローチャートである。
【００１９】
図３を参照して、この発明による工事方法が開始されると、工事対象となる部屋の床面にじゅうたん４を敷く領域の枠組みを垂木１を用いて作成する（ステップＳ１０）。枠組みが完成すると、複数の発泡スチロール２が枠組みされた領域の床面全体に敷かれる（ステップＳ１２）。その後、発泡スチロール２相互間の境界位置とベニヤ板３相互間の境界位置とが異なるように複数のベニヤ板３が、ステップＳ１２において敷かれた複数の発泡スチロール２上に敷かれる（ステップＳ１４）。そして、接着剤によってじゅうたん４を複数のベニヤ３に接着することにより、じゅうたん４が複数のベニヤ板３上に敷かれる（ステップＳ１６）。これにより、この発明による工事方法が終了する。
【００２０】
図４〜図７は、図３に示すフローチャートの各ステップにおける工事状態を示す斜視図である。図４は、ステップＳ１０における工事状態を示し、図５は、ステップＳ１２における工事状態を示し、図６は、ステップＳ１４における工事状態を示し、図７は、ステップＳ１６における工事状態を示す。
【００２１】
図４を参照して、４本の垂木１Ａ，１Ｂ，１Ｃ，１Ｄが部屋１０の四隅に設置され、じゅうたん４を敷く領域１１の枠組みが形成される（図３のステップＳ１０参照）。
【００２２】
図５を参照して、１６枚の発泡スチロール２が領域１１に敷かれる（図３のステップＳ１２参照）。この場合、１６枚の発泡スチロール２の上面は、垂木１Ａ，１Ｂ，１Ｃ，１Ｄの上面に一致している。
【００２３】
図６を参照して、１６枚の発泡スチロール２および垂木１Ａ，１Ｂ，１Ｃ，１Ｄの上に９枚のベニヤ板３が敷かれる（図３のステップＳ１４参照）。この場合、発泡スチロール２相互間の境界２Ａ，２Ｂ，２Ｃ，２Ｄが存在する位置と、ベニヤ板３相互間の境界３Ａ，３Ｂ，３Ｃ，３Ｄが存在する位置とは、異なる。このように、境界２Ａ，２Ｂ，２Ｃ，２Ｄの位置と境界３Ａ，３Ｂ，３Ｃ，３Ｄの位置とが異なるように、複数の発泡スチロール２および複数のベニヤ板３を敷くことにより、強度を保持できるとともに衝撃音を低減できる。
【００２４】
図７を参照して、じゅうたん４のラバー４１を接着剤により９枚のベニヤ板３に接着することにより、じゅうたん４が９枚のベニヤ板３の上に敷かれる（図３のステップＳ１６参照）。
【００２５】
図８は、図５に示す線ＶＩＩＩ−ＶＩＩＩにおける断面図である。図８を参照して、２つの垂木１Ｂ，１Ｃの間に４枚の発泡スチロール２が敷かれている。
【００２６】
図９は、図６に示す線ＩＸ−ＩＸにおける断面図である。図９を参照して、２つの垂木１Ｂ，１Ｃの間に敷かれた４枚の発泡スチロール２上に３枚のベニヤ板３が敷かれている。この場合、発泡スチロール２相互間の境界２Ａは、ベニヤ板３相互間の境界３Ａからずれている。また、ベニヤ板３の端は、垂木１Ｂまたは１Ｃの上に位置する。
【００２７】
図１０は、図７に示す線Ｘ−Ｘにおける断面図である。図１０を参照して、２つの垂木１Ｂ，１Ｃの間に、４枚の発泡スチロール２が敷かれ、その上に３枚のベニヤ板３が敷かれ、３枚のベニヤ板３の上にじゅうたん４が敷かれている。
【００２８】
図１１は、この発明による工事方法を説明するための他のフローチャートである。なお、図１１は、図１に示す垂木１、発泡スチロール２、ベニヤ板３、じゅうたん４およびニードルフェルト５を材料として用いる工事方法を示すフローチャートである。そして、図１１に示すフローチャートは、図３に示すフローチャートのステップＳ１４をステップＳ１３，Ｓ１５に代えたものであり、その他は、図３に示すフローチャートと同じである。
【００２９】
図１１を参照して、ステップＳ１２の後、ニードルフェルト５が複数の発泡スチロール２の上に敷かれる（ステップＳ１３）。そして、発泡スチロール２相互間の境界位置とベニヤ板３相互間の境界位置とが異なるように複数のベニヤ板３が、ニードルフェルト５上に敷かれる（ステップＳ１５）。その後、上述したステップＳ１６が実行され、この発明による工事方法が終了する。
【００３０】
図１２〜図１５は、図１１に示すフローチャートのステップＳ１２，Ｓ１３，Ｓ１５，Ｓ１６における工事状態を示す断面図である。図１２は、ステップＳ１２における工事状態を示し、図１３は、ステップＳ１３における工事状態を示し、図１４は、ステップＳ１５における工事状態を示し、図１５は、ステップＳ１６における工事状態を示す。
【００３１】
図１２は、上述した図８と同じである。
図１３を参照して、２つの垂木１Ｂ，１Ｃの間に、４枚の発泡スチロール２が敷かれ、４枚の発泡スチロール２の上にニードルフェルト５が敷かれる。
【００３２】
図１４を参照して、２つの垂木１Ｂ，１Ｃの間に、４枚の発泡スチロール２およびニードルフェルト５が順次敷かれ、ニードルフェルト５の上に３枚のベニヤ板３が敷かれる。この場合も、ベニヤ板３相互間の境界３Ａの位置は、発泡スチロール２相互間の境界２Ａの位置からずれる。また、複数の発泡スチロール２と複数のベニヤ板３との間にニードルフェルト５を挿入することにより、複数のベニヤ板３が面内方向にずれるのを防止でき、境界３Ａの位置が境界２Ａの位置からずれるように複数のベニヤ板３を正確に敷くことができる。
【００３３】
図１５を参照して、２つの垂木１Ｂ，１Ｃの間に、４枚の発泡スチロール２およびニードルフェルト５が順次敷かれ、その上に３枚のベニヤ板３が敷かれ、３枚のベニヤ板３の上にじゅうたん４が敷かれる。
【００３４】
このように、図１１に示すフローチャートに従って行なわれる工事方法では、ニードルフェルト５が複数の発泡スチロール２と複数のベニヤ板３との間に挿入されることを特徴とする。
【００３５】
図１６は、この発明による工事方法を用いて扉のある部屋２０の床面にじゅうたん４を敷く場合を示す斜視図である。図１６を参照して、部屋２０は、扉２１を有する。扉２１は、矢印２２で示すように部屋２０の内側に開閉する。このような部屋２０に対して、垂木１を部屋の四隅に設置してじゅうたん４を敷く枠組みを作成したのでは、扉２１が開閉できない。そこで、この発明による工事方法を用いて、このような部屋２０にじゅうたん４を敷く場合、扉２１を開閉する領域２３を除いて垂木１Ｅ，１Ｆ，１Ｇ，１Ｈ，１Ｊ，１Ｋを設置し、じゅうたん４を敷く領域２４の枠組みを作成する。そして、図３に示すフローチャートに従って複数の発泡スチロール２、複数のベニヤ板３およびじゅうたん４が順次領域２４に敷かれる。また、図１１に示すフローチャートに従って複数の発泡スチロール２、ニードルフェルト５、複数のベニヤ板３およびじゅうたん４が順次領域２４に敷かれる。
【００３６】
なお、上記においては、マンションの各部屋の床面にじゅうたん４を敷く場合について説明したが、この場合の床面は、コンクリートからなる場合に限らず、別のじゅうたん、タイル、クッションフロアおよび畳等が既に敷かれている場合であってもよい。つまり、既に完成したマンションの各部屋のじゅうたん等の上に、この発明による工事方法を用いて衝撃音を低減するための工事を行なってもよい。
【００３７】
したがって、この発明は、新築されたマンションの各部屋および既に完成されたマンションの各部屋に衝撃音を低減するための工事を行なう場合に適用される。
【００３８】
また、この発明は、マンションの部屋に限らず、ビルまたは一戸建ての家等の部屋に衝撃音を低減するための工事を行なう場合にも適用される。
【００３９】
さらに、この発明においては、発泡スチロール２およびベニヤ板３を任意の大きさに切断して使用してもよい。つまり、各部屋の形および大きさに合わせて発泡スチロール２およびベニヤ板３を加工して発泡スチロール２、ニードルフェルト５、ベニヤ板３およびじゅうたん４を敷いてもよい。
【００４０】
さらに、上記においては、ラバー４１が付いたじゅうたん４を敷く場合について説明したが、この発明においては、ラバーが付いていないじゅうたんを敷いてもよい。
【００４１】
さらに、この発明においては、じゅうたん４に代えて、リビング等に使用されるフローリング、タイル、クッションフロアおよび畳等を敷いてもよい。
【００４２】
さらに、上記においては、垂木１で枠組みを作成した後に発泡スチロール２、ベニヤ板３、じゅうたん４およびニードルフェルト５を敷くと説明したが、この発明は、これに限らず、垂木１で枠組みを作製せずに既存の壁を枠組みとして用いてもよい。
【００４３】
さらに、この発明においては、部屋の全領域ではなく、衝撃音が発生し易い領域を選択して上述した方法によって発泡スチロール２、ベニヤ板３、じゅうたん４およびニードルフェルト５を敷いてもよい。この場合、衝撃音が発生した領域に垂木１によって枠組みを作製した後に、発泡スチロール２、ベニヤ板３、じゅうたん４およびニードルフェルト５を敷く。
【００４４】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【図１】この発明による工事方法に用いる材料を示す図である。
【図２】図１に示すじゅうたんの一部の拡大図である。
【図３】この発明による工事方法を説明するためのフローチャートである。
【図４】図３に示すステップＳ１０における工事状態を示す斜視図である。
【図５】図３に示すステップＳ１２における工事状態を示す斜視図である。
【図６】図３に示すステップＳ１４における工事状態を示す斜視図である。
【図７】図３に示すステップＳ１６における工事状態を示す斜視図である。
【図８】図５に示す線ＶＩＩＩ−ＶＩＩＩにおける断面図である。
【図９】図６に示す線ＩＸ−ＩＸにおける断面図である。
【図１０】図７に示す線Ｘ−Ｘにおける断面図である。
【図１１】この発明による工事方法を説明するための他のフローチャートである。
【図１２】図１１に示すステップＳ１２における工事状態を示す断面図である。
【図１３】図１１に示すステップＳ１３における工事状態を示す断面図である。
【図１４】図１１に示すステップＳ１５における工事状態を示す断面図である。
【図１５】図１１に示すステップＳ１６における工事状態を示す断面図である。
【図１６】この発明による工事方法を用いて扉のある部屋の床面にじゅうたんを敷く場合を示す斜視図である。
【符号の説明】
１，１Ａ，１Ｂ，１Ｃ，１Ｄ，１Ｅ，１Ｆ，１Ｇ，１Ｈ，１Ｊ，１Ｋ  垂木、２  発泡スチロール、２Ａ，２Ｂ，２Ｃ，２Ｄ，３Ａ，３Ｂ，３Ｃ，３Ｄ  境界、３  ベニヤ板、４  じゅうたん、５  ニードルフェルト、１０，２０  部屋、１１，２３，２４  領域、２１  扉、２２  矢印、４１  ラバー、４２  じゅうたん生地。
【図１】
2004339694.tif 000003
【図２】
2004339694.tif 000004
【図３】
2004339694.tif 000005
【図４】
2004339694.tif 000006
【図５】
2004339694.tif 000007
【図６】
2004339694.tif 000008
【図７】
2004339694.tif 000009
【図８】
2004339694.tif 000010
【図９】
2004339694.tif 000011
【図１０】
2004339694.tif 000012
【図１１】
2004339694.tif 000013
【図１２】
2004339694.tif 000014
【図１３】
2004339694.tif 000015
【図１４】
2004339694.tif 000016
【図１５】
2004339694.tif 000017
【図１６】
2004339694.tif 000018